(57)【要約】【課題】  工事現場の仮囲い壁面等のような特設壁面等に対して緑化システムを取付け緑化するに際し、緑化システムの重力に因る制約問題を解消した、好適な取付け構造を提供することを課題とする。【解決手段】  仮囲い壁面等の特設壁面を、柱状部材と梁状部材を補ってクランプ金具を介して支持部材に固着するようにして、壁面緑化システムの取付け構造を構成することにより、同特設壁面の表面における強度が向上し、重量物となる緑化システムをこの表面に安定的、かつ、安全確実に支持することが可能となり、同特設壁面を所望の緑化壁面に変身させ、周辺環境の美化、浄化等、環境条件の向上に寄与することが出来た。【選択図】            図１
2005068753.tif 000002
【特許請求の範囲】
【請求項１】
仮囲い壁面等の特設壁面に対して、壁面の立設方向に延びる柱状部材と、これに交叉する幅方向に延びる梁状部材を補強し、同柱状部材及び梁状部材は前記特設壁面を支持する支持部材に対してクランプ金具を介して固着され、前記梁状部材に緑化システムを支持可能としたことを特徴とする壁面緑化システムの取付け構造。
【請求項２】
前記緑化システムは、保水機能を持つマット状部材を基体とし、これに緑化植物が植え込まれたものを含むことを特徴とする請求項１に記載の壁面緑化システムの取付け構造。
【請求項３】
前記マット状部材は、その表面に、前方に向かって凸状に膨出させたポケットプランタが複数取付けられたものを含むことを特徴とする請求項２に記載の壁面緑化システムの取付け構造。
【請求項４】
前記マット状部材には、横方向に延びる灌水チューブを取付け、同マット状部材に対する給水を確保し、前記特設壁面に対して全面灌水を可能としたことを特徴とする請求項２又は３に記載の壁面緑化システムの取付け構造。
【請求項５】
前記マット状部材には、前記各ポケットプランタに個別に連通する灌水チューブを取付け、ポケットプランタ毎に灌水を行えるようにしたことを特徴とする請求項３に記載の壁面緑化システムの取付け構造。
【請求項６】
前記壁面を支持する支持部材は、壁面の立設方向に延びる支柱パイプ、これと交叉する幅方向に延びる布パイプ、前記支柱パイプと斜めに交叉して同支柱パイプを支える控えパイプ等で組み立てられ、前記クランプ金具を前記布パイプに取付けたことを特徴とする請求項１に記載の壁面緑化システムの取付け構造。
【請求項７】
前記特設壁面の上端部及び下端部のそれぞれに、同特設壁面の上端縁又は下端縁をそれぞれ跨いで表裏両面から挟み込む保持部材を設け、同保持部材を前記クランプ金具に連結して前記特設壁面を上下両端部で支持したことを特徴とする請求項１に記載の壁面緑化システムの取付け構造。
【請求項８】
前記梁状部材には、前記特設壁面の前方に向けて突出する剣山状ボルトを設け、同剣山状ボルトにより保水マット等を介在して芝生やタマリュウ等の地被類を植生した植生マットを取り付けたことを特徴とする請求項１に記載の壁面緑化システムの取付け構造。
【請求項９】
前記柱状部材には、その下端部に前記緑化システムの下端を収容し、壁面の幅方向に亘って延びる樋を設けたことを特徴とする請求項１に記載の壁面緑化システムの取付け構造。
【請求項１０】
前記柱状部材には、その下端部分に、平坦な支持面を有する脚部材を設けたことを特徴とする請求項１に記載の壁面緑化システムの取付け構造。
【発明の詳細な説明】
【技術分野】
【０００１】
本発明は、工事現場の仮囲い壁面等のような、特定目的のために期間を限って設置される特設壁面等に対して、植生マットに緑化植物を植生したいわゆる緑化システムを取付け、同特設壁面等を緑化する壁面緑化システムの取付け構造に関するものである。
【背景技術】
【０００２】
既に周知の域に達しているように、近時地球規模での温暖化現象やヒートアイランド現象が顕著となり、これらの対応として、首都圏のみならず地方都市においても家屋の屋上をはじめとしてその壁面、そして家屋に付随する塀の表面等々の緑化技術（緑化システム）が脚光を浴びるようになって来た。
【０００３】
この種の緑化技術は、始原的にはヨーロッパ、特にドイツに端を発し、全世界的に広まりつつあるが、わが国においては近時行政指導を含めて緑化基準が強化されたこともあって、当該緑化技術が加速的に普及する趨勢にある。
【０００４】
このような緑化技術、特に先鞭をつけた屋上の緑化技術を中心としてわが国における発展の段階を振り返ってみると、この種の緑化技術はフェルト製やプラスチック製の繊維製又は不織布製のマットを敷設するもの、若しくは椰子繊維質等の薄層のマットに適宜の緑化植物を植生してこれを屋上に敷設するもの等に端を発している。
【０００５】
他方、前記のように薄層のマットに植生を施していわゆる植生マットを形成し、これを単に敷設するだけの構成では、強風による植生マットの捲れや飛散をはじめとして、同植生マットの移動によりこのマット中に在る床土等の土壌の流出が生じやすく、また、薄層であるために水分の蒸発が生じて植生が枯れたり、同植生自体の成長が進んで緑化植物が過剰に繁殖すると、薄層での支持がダメージを受けることもあるので、このような不具合の発生を防止して緑化植物の安定的な成長を促すより適切な植生マットを作り、これを屋根、壁、塀等々の表面に確実、容易に取り付け、かつ維持管理も簡便化するより好ましい手法について、不断の開発努力が進められている。
【０００６】
このため、単に平坦な植生マットを使用するだけではなく、この植生マットの表面にポケット状のプランタを金具やビス等の固着具を用いて取り付けるようにしたものも現れるに至っている。
【０００７】
また、緑化システムを採用する建造物としては、前記したように平坦な屋上のみならず切妻式の傾斜した屋根を含み、更に傾斜角度が大きくなって直角となり、地上に立設された家屋の壁面や塀の表面へと拡張され、緑化対象建造物の種類、形態も多種多様になって来た。
【０００８】
【特許文献１】特開２００２−２７２２８１号公報（図１の植生マット５、図２のプランター１０）
【発明の開示】
【発明が解決しようとする課題】
【０００９】
前記したように、従来の一般的な手法としての植生マット及びこれから進展したポケット状のプランタを使用した緑化技術では、緑化対象を平坦な屋上とするものからスタートし、これが傾斜屋根の表面となり、更にこの傾斜が大きくなって地上に立設された壁面とか塀の表面へと適用範囲が広がって来ているが、この種植生マットの重量が通常４〜５０Ｋｇ／ｍ2 に及ぶことにより、傾斜が大きくなる程に重力への適切な対応が重要事項となり、緑化対象壁面が特定の目的のために一時的に、期間を限って設置される工事現場の仮囲い壁面等のような簡易構造と成りがちな特設壁面に適用するまでには至っていない。
【００１０】
なお、本明細書においては、特設壁面として、前記したように建築等の工事現場等において、通行人に対する安全性の確保、又は工事現場を部外者の視界から遮蔽すること等を目的として工事期間中に同建築現場等を囲って設けられる仮囲いをその代表的なものとして説明するが、同特設壁面はこれに限定されることなく、一般民家の塀や垣根であっても、家屋の寿命に合わせて長寿命を意図するものを除き、短期間を意図して簡易的に設置される塀や垣根に対しても適用可能であるので、これら簡易的な立設壁面を含むものである。
【００１１】
本発明は、このような従来の状況、及び今後更に発展する緑化システムのニーズに鑑みてなされたもので、特に工事現場の仮囲い壁面で代表されるような簡易構造の特設壁面等に対し適用して、緑化システムの重力に因る制約問題を解消した、所望の壁面緑化システムの取付け構造を提供することを課題とするものである。
【課題を解決するための手段】
【００１２】
本発明は前記した課題を解決すべくなされたもので、請求項１〜１０にそれぞれ記載の各発明に応じて、以下に第１〜第１０の手段に区分けして説明すると、本発明はその第１の手段として、仮囲い壁面等の特設壁面に対して、壁面の立設方向に延びる柱状部材と、これに交叉する幅方向に延びる梁状部材を補強し、同柱状部材及び梁状部材は前記特設壁面を支持する支持部材に対してクランプ金具を介して固着され、前記梁状部材に緑化システムを支持可能としたことを特徴とする壁面緑化システムの取付け構造を提供するものである。
【００１３】
また、第２の手段として、前記第１の手段において、前記緑化システムは、保水機能を持つマット状部材を基体とし、これに緑化植物が植え込まれたものを含むことを特徴とする壁面緑化システムの取付け構造を提供するものである。
【００１４】
また、第３の手段として、前記第２の手段において、前記マット状部材は、その表面に、前方に向かって凸状に膨出させたポケットプランタが複数取付けられたものを含むことを特徴とする壁面緑化システムの取付け構造を提供するものである。
【００１５】
また、第４の手段として、前記第２又は第３の手段において、前記マット状部材には、横方向に延びる灌水チューブを取付け、同マット状部材に対する給水を確保し、前記特設壁面に対して全面灌水を可能としたことを特徴とする壁面緑化システムの取付け構造を提供するものである。
【００１６】
また、第５の手段として、前記第３の手段において、前記マット状部材には、前記各ポケットプランタに個別に連通する灌水チューブを取付け、ポケットプランタ毎に灌水を行えるようにしたことを特徴とする壁面緑化システムの取付け構造を提供するものである。
【００１７】
また、第６の手段として、前記第１の手段において、前記壁面を支持する支持部材は、壁面の立設方向に延びる支柱パイプ、これと交叉する幅方向に延びる布パイプ、前記支柱パイプと斜めに交叉して同支柱パイプを支える控えパイプ等で組み立てられ、前記クランプ金具を前記布パイプに取付けたことを特徴とする壁面緑化システムの取付け構造を提供するものである。
【００１８】
また、第７の手段として、前記第１の手段において、前記特設壁面の上端部及び下端部のそれぞれに、同特設壁面の上端縁又は下端縁をそれぞれ跨いで表裏両面から挟み込む保持部材を設け、同保持部材を前記クランプ金具に連結して前記特設壁面を上下両端部で支持したことを特徴とする壁面緑化システムの取付け構造を提供するものである。
【００１９】
また、第８の手段として、前記第１の手段において、前記梁状部材には、前記特設壁面の前方に向けて突出する剣山状ボルトを設け、同剣山状ボルトにより保水マット等を介在して芝生やタマリュウ等の地被類を植生した植生マットを取り付けたことを特徴とする壁面緑化システムの取付け構造を提供するものである。
【００２０】
また、第９の手段として、前記第１の手段において、前記柱状部材には、その下端部に前記緑化システムの下端を収容し、壁面の幅方向に亘って延びる樋を設けたことを特徴とする壁面緑化システムの取付け構造を提供するものである。
【００２１】
そしてまた、第１０の手段として、前記第１の手段において、前記柱状部材には、その下端部分に、平坦な支持面を有する脚部材を設けたことを特徴とする壁面緑化システムの取付け構造を提供するものである。
【発明の効果】
【００２２】
すなわち、本出願の請求項１に記載の発明によれば、仮囲い壁面等の特設壁面に対して、壁面の立設方向に延びる柱状部材と、これに交叉する幅方向に延びる梁状部材を補強し、同柱状部材及び梁状部材は前記特設壁面を支持する支持部材に対してクランプ金具を介して固着され、前記梁状部材に緑化システムを支持可能として壁面緑化システムの取付け構造を構成しているので、同仮囲い壁面等の特設壁面は、柱状部材と梁状部材をクランプ金具を介して支持部材に固着するという簡便な構成により、同特設壁面の表面における強度が向上し、相当な重量物となる緑化システムをこの表面に安定的、かつ、安全確実に支持することが可能となり、同特設壁面を所望の緑化壁面に変身させ、周辺環境の美化、浄化等、環境条件の向上に寄与することが出来たものである。
【００２３】
また、請求項２に記載の発明によれば、前記請求項１に記載の発明において、前記緑化システムは、保水機能を持つマット状部材を基体とし、これに緑化植物が植え込まれたものを含むものとして壁面緑化システムの取付け構造を構成しているので、前記のように仮囲い壁面等の特設壁面の強度を柱状部材、梁状部材等により強化することにより、緑化システムの支持を安全、かつ安定して行うことが可能となり、同緑化システムとして基本構成となる保水機能を持つマット状部材に、例えばセダム等の緑化植物を植生したものを取付け、好適な壁面緑化を完成することが出来たものである。
【００２４】
また、請求項３に記載の発明によれば、前記請求項２に記載の発明において、前記マット状部材は、その表面に、前方に向かって凸状に膨出させたポケットプランタが複数取付けられたものを含むものとして壁面緑化システムの取付け構造を構成しているので、前記のように仮囲い壁面等の特設壁面の強度を柱状部材、梁状部材等により強化して取付けられる緑化システムは、保水機能を持つマット状部材を基本とし、その表面にポケットプランタを前方に向けて凸状に膨出させて取付けることにより、同マット及びポケットプランタに植生する緑化植物の種類を多種類に増やすことが可能となり、また、季節に応じて緑化植物の入替え等も容易化し、変化に富んだ壁面緑化を実現することが出来たものである。
【００２５】
また、請求項４に記載の発明によれば、前記請求項２又は３に記載の発明において、前記マット状部材には、横方向に延びる灌水チューブを取付け、同マット状部材に対する給水を確保し、前記特設壁面をに対して全面灌水を可能として壁面緑化システムの取付け構造を構成しているので、前記のように仮囲い壁面等の特設壁面の強度を柱状部材、梁状部材等により強化して取付けられる緑化システムは、その基体を構成する保水機能を持つマット状部材に横方向に延びて取付けられた灌水チューブにより灌水されることにより、保水機能を確保され、緑化システムの寿命を長期間に亘って維持確保し、好適な壁面緑化を実現することが出来たものである。
【００２６】
また、請求項５に記載の発明によれば、前記請求項３に記載の発明において、前記マット状部材には、前記各ポケットプランタに個別に連通する灌水チューブを取付け、ポケットプランタ毎に灌水を行えるようにして壁面緑化システムの取付け構造を構成しているので、前記のように仮囲い壁面等の特設壁面の強度を柱状部材、梁状部材等により強化して取付けられる緑化システムは、その基体を構成するマット状部材に取付けられた複数のポケットプランタに対して個別に灌水チューブを連通したことにより、各ポケットプランタへの給水は個別に調整することができ、植生する植物の種類選択をより多彩化し、癒し機能を一層高めた好適な壁面緑化を実現することが出来たものである。
【００２７】
また、請求項６に記載の発明によれば、前記請求項１に記載の発明において、前記壁面を支持する支持部材は、壁面の立設方向に延びる支柱パイプ、これと交叉する幅方向に延びる布パイプ、前記支柱パイプと斜めに交叉して同支柱パイプを支える控えパイプ等で組み立てられ、前記クランプ金具を前記布パイプに取付けて壁面緑化システムの取付け構造を構成しているので、前記のように仮囲い壁面等の特設壁面の強度を柱状部材、梁状部材等により強化して取付けられる緑化システムは、この柱状部材、梁状部材を束ねるクランプ金具を、壁面を支持する支持部材を構成する支柱パイプ、布パイプ、控えパイプ等のうちから布パイプを特定して同布パイプに取付けるようにしたことにより、取付け操作も簡便に行え、強度を高めた特設壁面の形成を容易化し、好適な壁面緑化を実現することが出来たものである。
【００２８】
また、請求項７に記載の発明によれば、前記請求項１に記載の発明において、前記特設壁面の上端部及び下端部のそれぞれに、同特設壁面の上端縁又は下端縁をそれぞれ跨いで表裏両面から挟み込む保持部材を設け、同保持部材を前記クランプ金具に連結して前記特設壁面を上下両端部で支持して壁面緑化システムの取付け構造を構成しているので、前記のように仮囲い壁面等の特設壁面の強度を強化する柱状部材、梁状部材等に加えて特設壁面の上端縁又は下端縁をそれぞれ跨いで表裏両面から挟み込む保持部材を設け、同保持部材を特設壁面の上端部及び下端部でクランプ金具を介して支持部材に連結したことにより、仮囲い壁面自体にはボルト穴等の格別の工作を行う必要がなくなり、仮囲い自体を無傷で繰り返し使用することが可能となり、仮囲い自体は例えばレンタル品を使用することもでき、経費節減に大きく貢献できる好適な壁面緑化を実現することが出来たものである。
【００２９】
また、請求項８に記載の発明によれば、前記請求項１に記載の発明において、前記梁状部材には、前記特設壁面の前方に向けて突出する剣山状ボルトを設け、同剣山状ボルトにより保水マット等を介在して芝生やタマリュウ等の地被類を植生した植生マットを取り付けて壁面緑化システムの取付け構造を構成しているので、前記のように仮囲い壁面等の特設壁面の強度を柱状部材、梁状部材等により強化して取付けられる緑化システムは、例えば前記梁状部材に特設壁面の前方に向けて突出する剣山状ボルトを設け、保水マット等を介在して植生マットを取り付けることにより、芝生やタマリュウ等の地被類を植生した植生マットは、簡便、容易、且つ確実に保持することが出来、好適な壁面緑化を実現することが出来たものである。
【００３０】
また、請求項９に記載の発明によれば、前記請求項１に記載の発明において、前記柱状部材には、その下端部に前記緑化システムの下端を収容し、壁面の幅方向に亘って延びる樋を設けて壁面緑化システムの取付け構造を構成しているので、緑化システムの下端位置にこれを収容する樋を設けたことにより、灌水チューブ等を経て供給された水分が、保水マット、植生マット等を通じて壁面下端に滴下しても、これを樋により受け止め、所定方向へ排水出来、周辺に水分を散逸して周囲の美観を損ねることもなく、周辺環境により一層配慮した好適な壁面緑化を実現することが出来たものである。
【００３１】
そしてまた、請求項１０に記載の発明によれば、前記請求項１に記載の発明において、前記柱状部材には、その下端部分に、平坦な支持面を有する脚部材を設けて壁面緑化システムの取付け構造を構成しているので、前記のように仮囲い壁面等の特設壁面の強度を強化する柱状部材、梁状部材等に加えて、柱状部材の下端部分には平坦な支持面を有する脚部材を設けたことにより、柱状部材による壁面立設方向の重力支持はより一層確実なものとなり、壁面が傾くおそれもなく、好適な壁面緑化を実現することが出来たものである。
【発明を実施するための最良の形態】
【００３２】
本発明の実施の一形態について図１乃至図４に基づいて説明する。
図１は本実施の形態に係る壁面緑化システムの取付け構造の全貌を概略的に示す部分正面図、図２は図１の側面図、図３は図２のＡ部を拡大して示す要部拡大図、図４は図２のＢ部を拡大して示す要部拡大図である。
【００３３】
本実施の形態において、１は仮囲い壁面を示し、建築工事現場等において通行人に対する安全性の確保、又は工事現場を部外者の視界から遮蔽すること等を目的として工事期間中に同建築現場等を囲って設けらたもので、縦長の仮囲い鋼板２を多数枚横方向（仮囲い壁面１の幅方向）並べて形成されている。
【００３４】
なお、前記仮囲い壁面１は、建築工事期間という限られた期間に、通行人の安全確保、又は工事状況の秘密保持等の特定目的のために一時的に設けられたものであるので、本明細書では、これを「特設壁面」と呼ぶこともある。
【００３５】
そしてこの仮囲い壁面１は、永続性のあるものではないので、その構造は簡便、簡易なものとなるが、その裏側に廻ると、壁面立設方向（上下方向）に延びる支持パイプ３、これと交叉して幅方向に延びる布パイプ４、前記支柱パイプ３と上下方向に斜めに交叉して同支柱パイプ３を支える控えパイプ５、前記支柱パイプ３と控えパイプ５間を繋ぐ捨パイプ６等々を組み立てて、前記仮囲い壁面１を支持する支持部材７を形成している。
【００３６】
１０は仮囲い壁面１に対しその立設方向に延びて並置された柱状部材、１１は同柱状部材１０と交叉する幅方向に延びる梁状部材で、同柱状部材１０と梁状部材１１は連結金具１２にボルト１３で止められ、かつ連結金具１２がボルト１４でクランプ金具１５と一体化され、このクランプ金具１５が支持部材７中の布パイプ４に固着されることにより、前記仮囲い壁面１の強度は大幅に補強された強固なものとなる。
【００３７】
なお、梁状部材１１には、その長手方向に沿って多数のボルト１６が立設されており、生け花に使用する「剣山」を想定されるところから、発明者等はこれを「剣山状ボルト」と命名し、本明細書中においては「剣山状ボルト１６」と称呼することもある。
【００３８】
２０は繊維密度等を配慮して特に保水性を高めた保水マット、２１は植生マットで、同植生マット２１は、前記保水マット２０に準じて保水機能を有すると共に、これに芝生やタマリュウ等の地被類２２を植生可能としたものであり、前記保水マット２０を複数層重ねてこれを下層とし、その上に植生マット２１を上層として重ね、これによりいわゆる緑化システムの基層を形成し、これに前記剣山状ボルト１６を通して同基層を保持するようになっている。
【００３９】
なお、この緑化システムは、植生される地被類により、またその成長程度、植生密度等により多少のばらつきはあるものの、平均的にみれば、その重量が通常４〜５０Ｋｇ／ｍ2 に及ぶものとなる。
【００４０】
また、植生マット２１は、ポリエステル、ポリエチレン等の繊維状の素材により形成されてもよいが、一般的には柔軟性と強度に富んだ不織布状のマット部材で形成されることが多く、同植生マット２１を形成する繊維素材としては、綿、麻、セルロース、ジュート、毛、絹等の天然繊維、カーボン繊維、アセテート、レーヨン等の再生繊維、ポリエステル、ポリアミド（ナイロン）、アクリル等の合成繊維が採用され得、かつ、これらの繊維状の素材は、必ずしも常に新しい素材を用いて製造する必要はなく、リサイクル品として再生された、いわゆる再生繊維を用いて製造されたものであってもよいことは勿論である。
【００４１】
２３は灌水チューブで、前記仮囲い壁面１の表面に剣山状ボルト１６で保持した植生マット２１又は保水マット２０の内部で、その上端側、又は仮囲い壁面１の立設方向中間の数カ所で、同仮囲い壁面１の幅方向に伸びて配設されており、同灌水チューブ２３から供給された水分は、各植生マット２１又は保水マット２０の全面に行き渡るように形成されている。
【００４２】
２４は樋で、柱状部材１０の下端部において、前記保水マット２０、植生マット２１等で形成される緑化システムの下端を収容し、かつ仮囲い壁面１の幅方向に亘って延びて配設されており、前記灌水チューブ２３から供給された水分が、保水マット２０、植生マット２１等を通じて壁面下端に滴下しても、これを受け止めるように形成されている。
【００４３】
２５は脚部材で、下面に平坦な支持面を有して形成され、前記柱状部材１０の下端部分に設けられており、重力を含めてこの柱状部材１０に架かる上下方向の荷重を安定的に受け止めるように工夫されている。
【００４４】
上記のように構成された本実施の形態によれば、仮囲い壁面１等の特設壁面は、柱状部材１０と梁状部材１１をクランプ金具１５を介して布パイプ４等の支持部材に固着するという簡便な構成により、特設壁面の表面における強度の向上を図り、１ｍ2 当たり４〜５０Ｋｇの重量物となる植生マット２１を主体とした緑化システムを安全、確実に保持することが出来る。
【００４５】
また、柱状部材１０、梁状部材１１等により補強して仮囲い壁面１等の特設壁面の強度を高め、これに取付けた緑化システムの保水マット２０及び植生マット２１に灌水チューブ２３により灌水することにより、緑化システムの寿命を長期間に亘って維持確保することが出来る。
【００４６】
また、仮囲い壁面１の特設壁面は、支柱パイプ３、布パイプ４、控えパイプ５等を組み立てて構成された支持部材の中から、布パイプ４を特定してクランプ金具１５により柱状部材１０、梁状部材１１と固定され、強化されることにより、簡便な取付け操作で、重量物となる特設壁面の保持を可能にするものである。
【００４７】
また、芝生やタマリュウ等の地被類２２を植生した植生マット２１は、梁状部材１１表面に形成された特設壁面の前方に向けて突出する剣山状ボルト１６により、複数層の保水マット２０を介在して保持されているので、重量物となる緑化システムを特設壁面上へ安定的に保持することができる。
【００４８】
そしてまた、本実施の形態では立設される仮囲い壁面１の下端側に着目すれば、同仮囲い壁面１の幅方向に亘って延びる樋２４を緑化システムの下端を収容するような配置として設けることにより、保水マット２０や植生マット２１等を通じて壁面下端に滴下する水分を他に漏らすことなく集めることが出来る。
【００４９】
しかも、この仮囲い壁面１の下端の部位には、柱状部材１０の下端部分位置で、平坦な支持面を有する脚部材２５を設けているので、同脚部材２５の支持面により、重力方向の支持を安定的に行い、壁面が傾くおそれもない安全な壁面構成とすることができる。
【００５０】
かくして本実施の形態によれば、工事現場の仮囲い壁面で代表されるような、特定目的のために期間を限って設置される特設壁面等に対して緑化システムを安定的、かつ、安全確実に支持することが可能となり、同特設壁面を所望の緑化壁面に変身させ、周辺環境の美化、浄化等、環境条件の向上に寄与する好適な壁面緑化システムの取付け構造を得ることが出来たものである。
【００５１】
以上、本発明を図示の実施の形態について説明したが、本発明はかかる実施の形態に限定されず、本発明の範囲内でその具体的構造に種々の変更を加えてよいことはいうまでもない。
【００５２】
例えば、緑化システムを形成するマット状部材は、平坦面状のものを意図して説明したが、同マット状部材は、その表面に、前方に向かって凸状に膨出させたポケットプランタが複数取付けられたものを含めてもよく、このようなポケットプランタを組み入れることにより、マット及びポケットプランタに植生する緑化植物の種類を多種類に増やすことが可能となり、また、季節に応じて緑化植物の入替え等も容易化し、多種多彩、変化に富んだ壁面緑化を実現することが出来るものである。
【００５３】
また、灌水チューブ２３は、マット状部材の上端、又は中間部で横方向（幅方向）に延びるものを説明したが、上記のようにポケットプランタを組み入れたものにおいては、各ポケットプランタ毎に個別に連通する灌水チューブを取付け、ポケットプランタ毎に灌水を行えるようにすることにより、各ポケットプランタへの給水は個別に調整することができ、植生する植物の種類選択をより多彩化し、癒し効果を一層高めた好適な壁面緑化を実現することが出来るものである。
【００５４】
そしてまた、柱状部材、梁状部材をクランプ金具で布パイプに固定して強度補強するに際して、特設壁面の上端部及び下端部のそれぞれに、同特設壁面の上端縁又は下端縁をそれぞれ跨いで表裏両面から挟み込む保持部材を設け、同保持部材を前記クランプ金具に連結して前記特設壁面を上下両端部で支持するように構成することにより、仮囲い壁面自体にはボルト穴等の格別の工作を行う必要がなくなり、仮囲い自体を無傷で繰り返し使用することが可能となり、仮囲い自体は例えばレンタル品を使用することもでき、経費節減に大きく貢献できる好適な壁面緑化を実現することが出来る。
【図面の簡単な説明】
【００５５】
【図１】本発明の実施の一形態に係る壁面緑化システムの取付け構造の全貌を概略的に示す部分正面図である。
【図２】図１の側面図である。
【図３】図２のＡ部を拡大して示す要部拡大図である。
【図４】図２のＢ部を拡大して示す要部拡大図である。
【符号の説明】
【００５６】
１        仮囲い壁面
２        仮囲い鋼板
３        支持パイプ
４        布パイプ
５        控えパイプ
６        捨パイプ
７        支持部材
１０        柱状部材
１１        梁状部材
１２        連結金具
１３        ボルト
１４        ボルト
１５        クランプ金具
１６        剣山状ボルト
２０        保水マット
２１        植生マット
２２        地被類
２３        灌水チューブ
２４        樋
２５        脚部材
【図１】
2005068753.tif 000003
【図２】
2005068753.tif 000004
【図３】
2005068753.tif 000005
【図４】
2005068753.tif 000006